(57)【要約】【課題】簡単な構成で所望の画像処理を行うことができる画像処理装置及び画像処理装置の制御方法並びに画像処理装置の制御プログラムを提供すること。【解決手段】記録媒体に記録された画像データを取得する画像取得手段と、取得した画像データを記憶する画像記憶手段と、画像記憶手段に記憶された画像データに対して１又は２以上の種類の画像処理を行う画像処理手段と、該画像処理手段における画像処理の種類を指示する処理種指示手段とを有する画像処理装置において、前記画像処理手段における画像処理の種類毎に実行可能か否かの処理可否情報を取得する処理可否情報取得手段と、取得された処理可否情報に基づいて前記処理種指示手段において指示された種類毎に画像処理を実行可能か否かを判断する処理可否判断手段とを有し、前記画像処理手段は前記処理可否判断手段で実行可能と判断された種類の画像処理を行う画像処理装置。【選択図】        図１
2005202805.tif 000002
【特許請求の範囲】
【請求項１】
記録媒体に記録された画像データを取得する画像取得手段と、取得した画像データを記憶する画像記憶手段と、画像記憶手段に記憶された画像データに対して１又は２以上の種類の画像処理を行う画像処理手段と、該画像処理手段における画像処理の種類を指示する処理種指示手段とを有する画像処理装置において、
前記画像処理手段における画像処理の種類毎に実行可能か否かの処理可否情報を取得する処理可否情報取得手段と、
取得された処理可否情報に基づいて前記処理種指示手段において指示された種類毎に画像処理を実行可能か否かを判断する処理可否判断手段とを有し、
前記画像処理手段は前記処理可否判断手段で実行可能と判断された種類の画像処理を行うことを特徴とする画像処理装置。
【請求項２】
前記画像処理手段において画像処理を行う前に前記処理種指示手段において画像処理の種類が指示されることを特徴とする請求項１記載の画像処理装置。
【請求項３】
前記処理種指示手段における指示は、複数の画像データに対して行われることを特徴とする請求項１又は２記載の画像処理装置。
【請求項４】
前記処理種指示手段における指示は、前記画像取得手段で取得する取得単位毎に行われることを特徴とする請求項１又は２記載の画像処理装置。
【請求項５】
前記処理可否情報は、各画像処理に関するパラメータの設定を含むことを特徴とする請求項１〜４の何れかに記載の画像処理装置。
【請求項６】
前記処理可否情報取得手段は、ＵＳＢ又はネットワークを介して前記処理可否情報を取得することを特徴とする請求項１〜５の何れかに記載の画像処理装置。
【請求項７】
前記取得した処理可否情報を所定期間記憶する処理可否情報記憶手段を有し、前記処理可否情報取得手段において処理可否情報が取得できないときは、前記処理可否判断手段は、該処理可否情報記憶手段において記憶された処理可否情報に基づいて判断を行うことを特徴とする請求項１〜６の何れかに記載の画像処理装置。
【請求項８】
記録媒体に記録された画像データを取得する画像取得工程と、取得した画像データを記憶する画像記憶工程と、画像記憶工程で記憶された画像データに対して１又は２以上の種類の画像処理を行う画像処理工程とを有する画像処理方法において、
前記画像処理工程における画像処理の種類を指示する処理種指示工程と、前記画像処理工程における画像処理の種類毎に実行可能か否かの処理可否情報を取得する処理可否情報取得工程と、取得された処理可否情報に基づいて前記処理種指示工程において指示された種類毎に画像処理を実行可能か否かを判断する処理可否判断工程とを前記画像取得工程以前に有し、
前記画像処理工程は前記処理可否判断工程で実行可能と判断された種類の画像処理を行うことを特徴とする画像処理方法。
【請求項９】
前記処理種指示工程における指示は、複数の画像データに対して行われることを特徴とする請求項８記載の画像処理方法。
【請求項１０】
前記処理種指示工程における指示は、前記画像取得工程で取得する取得単位毎に行われることを特徴とする請求項８記載の画像処理方法。
【請求項１１】
前記処理可否情報は、各画像処理に関するパラメータの設定を含む情報であることを特徴とする請求項８、９又は１０記載の画像処理方法。
【請求項１２】
前記処理可否情報取得工程は、ＵＳＢ又はネットワークを介して前記処理可否情報を取得することを特徴とする請求項８〜１１の何れかに記載の画像処理方法。
【請求項１３】
前記処理可否情報取得工程で取得した処理可否情報を所定時間記憶する処理可否情報記憶工程を有し、前記処理可否情報取得工程において処理可否情報が取得できないときは、前記処理可否判断工程は、該処理可否情報記憶工程において記憶された処理可否情報に基づいて判断を行うことを特徴とする請求項８〜１２の何れかに記載の画像処理方法。
【請求項１４】
記録媒体に記録された画像データを取得する画像取得手段と、取得した画像データを記憶する画像記憶手段と、該画像記憶手段に記憶された画像データに対して１又は２以上の種類の画像処理を行う画像処理手段と、該画像処理手段における画像処理の種類を指示する処理種指示手段とを有する画像処理装置をコンピュータで制御するプログラムにおいて、
前記コンピュータを、前記画像処理手段における画像処理の種類毎に実行可能か否かの処理可否情報を取得する処理可否情報取得手段と、取得された処理可否情報に基づいて前記処理種指示手段において指示された種類毎に画像処理を実行可能か否かを判断する処理可否判断手段として機能させ、前記処理可否判断手段で実行可能と判断された種類の画像処理を行うように前記画像処理手段として機能させることを特徴とする画像処理プログラム。
【請求項１５】
前記処理可否情報取得手段は、ＵＳＢ又はネットワークを介して前記処理可否情報を取得することを特徴とする請求項１４に記載の画像処理プログラム。
【請求項１６】
前記処理可否情報取得手段において処理可否情報が取得できないときは、前記処理可否判断手段は、前記取得した処理可否情報を所定時間記憶する処理可否情報記憶手段において記憶された処理可否情報に基づいて判断を行うことを特徴とする請求項１５記載の画像処理プログラム。
【発明の詳細な説明】
【技術分野】
【０００１】
本発明は、画像処理装置及び画像処理方法並びに画像処理プログラムに関し、詳しくは複数の画像処理の機能が予めインストールされた画像処理装置及び画像処理方法並びに画像処理プログラムに関する。
【背景技術】
【０００２】
近年、画像をデジタル化して画像データを得て、該画像データに画像処理を施すことにより所望の画像を得る画像処理装置（特許文献１）が従来知られている。
【０００３】
このような画像処理を行うにあたって、場合によっては各種パラメータの設定などの面倒な設定を必要とすることがあり、一般のユーザが画像処理の機能を利用する際の障害となっていた。
【０００４】
また、画像処理は画像処理ソフトの実行により実現されるが、かかる画像処理ソフトが不法に複製利用されることも問題となっていた。
【特許文献１】特開２００３−２０４５１０号公報
【発明の開示】
【発明が解決しようとする課題】
【０００５】
本発明者は、ユーザの好みや画像の種類に応じて利用される画像処理の内容が決まってくる傾向にあることを見出し、本発明に至った。
【０００６】
そこで、本発明の課題は、簡単な構成で所望の画像処理を行うことができる画像処理装置及び画像処理方法並びに画像処理プログラムを提供することにある。
【０００７】
本発明の他の課題は、本明細書の以下の記載によって明らかになる。
【課題を解決するための手段】
【０００８】
上記課題は、以下の各発明によって解決される。
【０００９】
（請求項１）記録媒体に記録された画像データを取得する画像取得手段と、取得した画像データを記憶する画像記憶手段と、画像記憶手段に記憶された画像データに対して１又は２以上の種類の画像処理を行う画像処理手段と、該画像処理手段における画像処理の種類を指示する処理種指示手段とを有する画像処理装置において、前記画像処理手段における画像処理の種類毎に実行可能か否かの処理可否情報を取得する処理可否情報取得手段と、取得された処理可否情報に基づいて前記処理種指示手段において指示された種類毎に画像処理を実行可能か否かを判断する処理可否判断手段とを有し、前記画像処理手段は前記処理可否判断手段で実行可能と判断された種類の画像処理を行うことを特徴とする画像処理装置。
【００１０】
（請求項２）前記画像処理手段において画像処理を行う前に前記処理種指示手段において画像処理の種類が指示されることを特徴とする請求項１記載の画像処理装置。
【００１１】
（請求項３）前記処理種指示手段における指示は、複数の画像データに対して行われることを特徴とする請求項１又は２記載の画像処理装置。
【００１２】
（請求項４）前記処理種指示手段における指示は、前記画像取得手段で取得する取得単位毎に行われることを特徴とする請求項１又は２記載の画像処理装置。
【００１３】
（請求項５）前記処理可否情報は、各画像処理に関するパラメータの設定を含むことを特徴とする請求項１〜４の何れかに記載の画像処理装置。
【００１４】
（請求項６）前記処理可否情報取得手段は、ＵＳＢ又はネットワークを介して前記処理可否情報を取得することを特徴とする請求項１〜５の何れかに記載の画像処理装置。
【００１５】
（請求項７）前記取得した処理可否情報を所定期間記憶する処理可否情報記憶手段を有し、前記処理可否情報取得手段において処理可否情報が取得できないときは、前記処理可否判断手段は、該処理可否情報記憶手段において記憶された処理可否情報に基づいて判断を行うことを特徴とする請求項１〜６の何れかに記載の画像処理装置。
【００１６】
（請求項８）記録媒体に記録された画像データを取得する画像取得工程と、取得した画像データを記憶する画像記憶工程と、画像記憶工程で記憶された画像データに対して１又は２以上の種類の画像処理を行う画像処理工程とを有する画像処理方法において、前記画像処理工程における画像処理の種類を指示する処理種指示工程と、前記画像処理工程における画像処理の種類毎に実行可能か否かの処理可否情報を取得する処理可否情報取得工程と、取得された処理可否情報に基づいて前記処理種指示工程において指示された種類毎に画像処理を実行可能か否かを判断する処理可否判断工程とを前記画像取得工程以前に有し、前記画像処理工程は前記処理可否判断工程で実行可能と判断された種類の画像処理を行うことを特徴とする画像処理方法。
【００１７】
（請求項９）前記処理種指示工程における指示は、複数の画像データに対して行われることを特徴とする請求項８記載の画像処理方法。
【００１８】
（請求項１０）前記処理種指示工程における指示は、前記画像取得工程で取得する取得単位毎に行われることを特徴とする請求項８記載の画像処理方法。
【００１９】
（請求項１１）前記処理可否情報は、各画像処理に関するパラメータの設定を含む情報であることを特徴とする請求項８、９又は１０記載の画像処理方法。
【００２０】
（請求項１２）前記処理可否情報取得工程は、ＵＳＢ又はネットワークを介して前記処理可否情報を取得することを特徴とする請求項８〜１１の何れかに記載の画像処理方法。
【００２１】
（請求項１３）前記処理可否情報取得工程で取得した処理可否情報を所定時間記憶する処理可否情報記憶工程を有し、前記処理可否情報取得工程において処理可否情報が取得できないときは、前記処理可否判断工程は、該処理可否情報記憶工程において記憶された処理可否情報に基づいて判断を行うことを特徴とする請求項８〜１２の何れかに記載の画像処理方法。
【００２２】
（請求項１４）記録媒体に記録された画像データを取得する画像取得手段と、取得した画像データを記憶する画像記憶手段と、該画像記憶手段に記憶された画像データに対して１又は２以上の種類の画像処理を行う画像処理手段と、該画像処理手段における画像処理の種類を指示する処理種指示手段とを有する画像処理装置をコンピュータで制御するプログラムにおいて、前記コンピュータを、前記画像処理手段における画像処理の種類毎に実行可能か否かの処理可否情報を取得する処理可否情報取得手段と、取得された処理可否情報に基づいて前記処理種指示手段において指示された種類毎に画像処理を実行可能か否かを判断する処理可否判断手段として機能させ、前記処理可否判断手段で実行可能と判断された種類の画像処理を行うように前記画像処理手段として機能させることを特徴とする画像処理プログラム。
【００２３】
（請求項１５）前記処理可否情報取得手段は、ＵＳＢ又はネットワークを介して前記処理可否情報を取得することを特徴とする請求項１４に記載の画像処理プログラム。
【００２４】
（請求項１６）前記処理可否情報取得手段において処理可否情報が取得できないときは、前記処理可否判断手段は、前記取得した処理可否情報を所定時間記憶する処理可否情報記憶手段において記憶された処理可否情報に基づいて判断を行うことを特徴とする請求項１５記載の画像処理プログラム。
【発明の効果】
【００２５】
本発明の画像処理装置及び画像処理方法並びに画像処理プログラムによれば、簡単な構成で所望の画像処理を行うことができる。また、画像処理ソフトのライセンス収入を確実なものとすることもできる。
【発明を実施するための最良の形態】
【００２６】
以下、本発明の実施の形態を図面に基づいて説明する。
【００２７】
本発明の画像処理方法を実現する画像処理装置について以下詳細に説明する。
【００２８】
図１は本発明の画像処理装置のハードウエアの概略構成の一例を示す図である。
【００２９】
図１において、本発明の画像処理装置は、各種処理を行うコンピュータ１００、画像データの取得を行うフィルムスキャナ２００、画像の表示を行うモニタ３００、各種入力を行うキーボード４００及びマウス５００、処理可否情報を取得するＵＳＢ（Ｕｎｉｖｅｒｓａｌ  Ｓｅｒｉａｌ  Ｂｕｓ）ポート６００により構成されている。
【００３０】
コンピュータ１００は、本発明の画像処理プログラムをインストールすることにより、フィルムスキャナ２００、モニタ３００、キーボード４００及びマウス５００、ＵＳＢポート６００を制御しつつ各種処理を行う。
【００３１】
フィルムスキャナ２００は、画像データを取得する装置の一例であり、コンピュータ１００の制御に基づいて記録媒体に記録された画像をスキャンすることにより画像データを取得する。
【００３２】
モニタ３００は、コンピュータ１００の制御に基づいてフィルムスキャナ２００等において取得した画像データや画像処理の設定内容等を必要に応じて表示したりする。モニタ３００は、必要に応じてタッチパネルの機能を持ち、入力装置を兼ねることもできる。
【００３３】
キーボード４００及びマウス５００は、必要に応じて画像処理の種類である処理種を設定するための入力等の各種入力を行うための装置である。
【００３４】
ＵＳＢポート６００は、コンピュータ１００の制御に基づいて処理可否情報を記録した記録媒体から処理可否情報を取得する。
【００３５】
尚、本発明の画像処理装置においてコンピュータ１００は図示しない通信部によって外部装置とデータの送受をすることもできる。通信部は、有線と無線のいずれでもよく、インターネット、ＬＡＮ、専用の通信回線等のネットワークを介して外部装置と通信できる装置を用いることができ、その形態は問わない。コンピュータ１００に通信部が備えられた場合、ＵＳＢポート６００に代えて、かかる通信部によりネットワークを介して画像データの取得や処理可否情報の取得を行う態様とすることもできる。
【００３６】
また、図１においては画像データを取得する装置としてフィルムスキャナを例に挙げて説明したが、画像データを取得する装置としては、フィルムスキャナに限らず、紙等の記録媒体から画像データを取得することができるフラットヘッドスキャナやその他のスキャナ装置やＣＤ−Ｒドライブ、ＭＯドライブ等の各種記録媒体や外部装置の制御下にある記録媒体から画像データを取得することができる装置のいずれでもよく、記録媒体から画像データを取得することのできる装置であれば特に限定されない。
【００３７】
図２は、画像処理装置に用いられるコンピュータ１００の一例を示すブロック図である。
【００３８】
コンピュータ１００は、画像処理装置の各部を制御するメイン制御部１０１、画像を取得する装置の一例であるフィルムスキャナ２００で取得した画像データをコンピュータ１００に入力する画像入力部１０２、本発明の画像処理プログラムを格納したり画像データ、処理可否情報等の各種データを必要に応じて記憶したりする主記憶部１０３、画像データを取得する処理を行う画像取得処理部１０４、画像処理を行う画像処理部１０５、処理種の指示を受け付ける処理を行うための処理種指示処理部１０６、処理可否情報を取得する処理可否情報取得処理部１０７、処理種指示手段で指示された処理種が実行可能か否かを判断する処理を行う処理可否判断処理部１０８、各種データの入出力を行うためのデータ入出力部１０９を備えている。また、コンピュータ１００は、必要に応じ、モニタ３００の表示を制御する表示制御部１１０、外部装置から通信手段を介して情報を取得するための外部通信部１１１を備えていても良い。
【００３９】
ここで、上記構成の本発明の画像処理装置の一例に基づいて、本発明の画像処理装置の特徴となる機能について図１及び図２を参照しつつ図３に基づいて詳細に説明する。
【００４０】
図３は、本発明の画像処理装置の機能構成を説明するための機能ブロック図である。
また、図３に示すように、本発明の画像処理装置１は、記録媒体に記録された画像データを取得する画像取得手段１０と、取得した画像データを記憶する画像記憶手段１１と、画像記憶手段に記憶された画像データに対して１又は２以上の種類の画像処理を行う画像処理手段１２と、該画像処理手段における画像処理の種類を指示する処理種指示手段１３と、を有する画像処理装置１において、前記画像処理手段１２における画像処理の種類毎に実行可能か否かの処理可否情報を取得する処理可否情報取得手段１４と、取得された処理可否情報に基づいて前記処理種指示手段１３において指示された種類毎に画像処理を実行可能か否かを判断する処理可否判断手段１５とを有し、前記画像処理手段１２は前記処理可否判断手段１５で実行可能と判断された種類の画像処理を行うことを特徴とする。
【００４１】
上記の構成としたことにより、パラメータの設定情報を処理可否情報として取得することが可能となるので、例えば、オペレータが画像処理のパラメータ入力をせずとも、処理可否情報のパラメータに基づいて画像処理の実行の可否が判断されるようにすることが可能である。一方で、例えば、オペレータ自らがパラメータを入力して画像処理を実行したいときは、処理可否情報のパラメータによらず、処理種のパラメータを具体的に指示することもできる。また、取得した処理可否情報に基づいて画像処理の実行の可否を判断するので、処理可否情報の取得に制限を加えることによって画像処理のソフトを不正使用する問題が回避できる。処理可否情報の取得を制限する方法は、例えば、処理可否情報をネットワーク上から一定条件の下に取得可能とする方法や、処理可否情報が記憶されたＵＳＢ接続可能なハードウエアキー等の外部記憶媒体を一定条件の下に取得可能とする方法等が挙げられるが、処理可否情報の取得が一定条件の下によってのみ取得可能とできれば、特に限定されない。
【００４２】
このように、本発明によれば、画像処理の際に手間となるパラメータ設定のためのオペレータによる入力が不要となるという効果と、画像処理のソフトの不正な使用を禁止することができる効果がある。
【００４３】
上記画像処理装置１において、画像取得手段１０は、主にフィルムスキャナ２００と画像取得処理部１０４によって構成される。画像記憶手段１１は、主に主記憶部１０３によって構成される。画像処理手段１２は、主に画像処理部１０５によって構成される。処理種指示手段１３は、キーボード４００やマウス５００と処理種指示処理部１０６によって構成される。処理可否情報取得手段１４は、主にＵＳＢポート６００と処理可否情報取得処理部１０７によって構成される。処理可否判断手段１５は、主に処理可否判断処理部１０８によって構成される。
【００４４】
また、本発明の画像処理装置１の処理可否情報取得手段１４により取得される処理可否情報の取得先である外部装置２としては、ＵＳＢポート６００に接続可能なハードウエアキーや、図示しない通信部によりネットワークを介して通信可能に設けられたサーバ装置等が挙げられる。
【００４５】
次いで、本発明の画像処理プログラムによって制御されて実現する画像処理装置の動作について以下詳細に説明する。
【００４６】
図４は、本発明の画像処理プログラムによって制御される図１の画像処理装置の動作フローを示す図である。
【００４７】
本発明の画像処理プログラムは、例えば、画像処理装置においてオペレータが画像処理開始の入力を行ったことによって起動する。
【００４８】
プログラムが起動すると、図４において記憶した画像データに対して処理種指示手段により画像処理の種類である処理種の指示を受け付ける（Ｓ１）。
【００４９】
処理種は、画像処理の種類を示す情報であり、ゴミ除去、赤目補正、色補正、ホワイトバランス、シャープネス、ソフトフォーカス、階調制限等の画像処理の種類が挙げられ、特に限定されない。また、処理種として、前記の画像処理の種類と共にそれに関するパラメータを含んでいてもよい。
【００５０】
上記処理種には、各処理種毎に画像処理の「強」・「弱」・「ＯＦＦ」等の強度や精度が予め定義されており、かかる強度や精度の指定をパラメータとして設定することができる。
【００５１】
処理種の指示は、キーボード４００やマウス５００等の入力手段により、オペレータが入力した処理種を指示された処理種として処理種指示処理部で受け付けることによって行われる。具体的には、例えばモニタ３００に「ゴミ除去」、「赤目補正」、「色補正」、「ホワイトバランス」、「シャープネス」、「ソフトフォーカス」、「階調制限」、「処理種指定なし」とのアイテムを表示し、表示したアイテムの中からオペレータがキーボード４００やマウス５００で「ゴミ除去」が選択されると、更に、モニタ３００に「ゴミ除去のパラメータ入力を行いますか？」とのコメントを表示する。かかる表示に対してオペレータは、キーボード４００やマウス５００等の入力手段において、パラメータの入力を行う又は行わない旨の入力をすることができる。特に「処理種指定なし」のアイテムが選択された場合は、処理種指示処理部１０６により全ての種類の画像処理が処理種として指示されたとして処理される。
【００５２】
また、処理種としては、上記の他に、「風景写真用処理」、「証明写真用処理」、「集合写真用処理」というように画像データの種類毎に分類してオペレータが選択する際に分かり易いようにすることもできる。
【００５３】
また、処理種指示手段における処理種の指示は、複数の画像データに対して行われることが好ましい。同じ処理を施す画像データについていちいち処理種の指示をする必要がなくなるからである。
【００５４】
Ｓ１で処理種の指示がされると処理可否情報取得手段で処理可否情報を取得する（Ｓ２）。
【００５５】
処理可否情報は、画像処理手段での画像処理の実行が可能か否かを示す情報であり、該情報で実行が可能とされた画像処理にかかる機能のみが実際に実行可能となる。処理可否情報は、例えば、「ゴミ除去」、「赤目補正」等の画像処理が実行可能なことを示す情報であってもよいし、かかる「ゴミ除去」、「赤目補正」等の画像処理に関するパラメータの設定情報を含んでいてもよい。
【００５６】
処理可否情報の取得は、処理可否情報取得処理部１０７によって画像処理の種類（処理種）毎に行う。かかる処理可否情報の取得は、処理種指示処理手段において指示された処理種にかかる画像処理についての処理可否情報を取得することが好ましい。また、処理可否情報の取得は、処理対象の画像データに関して例えば、「風景写真」、「証明写真」、「集合写真」等のような画像の種類に応じた処理可否情報を取得することも好ましい。この場合、例えば「風景写真」に応じた処理可否情報は、風景写真を処理するのに好ましい画像処理を実行可能とした処理可否情報となっている。
【００５７】
処理可否情報は、ＵＳＢポート又はネットワークを介して取得されることが好ましい。処理可否情報がＵＳＢポート又はネットワークを介して取得される場合、ユーザの嗜好に応じた処理種の画像処理を実行可能とした処理可否情報をＵＳＢ接続可能なハードウエアキーに記憶させておくことによって、どの画像処理装置においてもユーザの嗜好に合わせた画像処理を行うことが可能となる。また、画像データの種類に応じた処理種の画像処理を実行可能とした処理可否情報をネットワーク上に格納しておくことによって、画像の種類に応じた適切な画像処理を行うことが可能となる。更に、ネットワーク上に格納された処理可否情報を画像処理の利用ライセンスのライセンス料の支払いの可否の情報に連動させれば、ライセンス料の支払いの可否に応じて実行可能な画像処理を限定することができ、画像処理ソフトのライセンス収入を確実なものとすることができる。
【００５８】
また、取得した処理可否情報を所定時間記憶することも好ましい。処理可否情報は主記憶部１０３に記憶される。ライセンス管理する場合には、所定時間記憶することによって、ネットワークが切断されても所定時間は画像処理が実行可能となるので、ネットワーク障害の際に、画像処理が中断することがない。
【００５９】
処理可否情報が取得されると、Ｓ１において指示された処理種の画像処理が実行可能か否かが処理可否判断手段で判断される（Ｓ３）。
【００６０】
指示された処理種の画像処理が実行可能か否かは、処理可否判断処理部１０８において行う。処理可否判断処理部１０８は、指示された処理種毎に判断し、画像処理を実行可能とした処理可否情報が取得された処理種の画像処理は実行可能と判断する。
【００６１】
Ｓ３で画像処理の実行が不可とされた場合は、モニタ３００等に「画像処理の実行はできません。」等のエラー表示を行うことができる（Ｓ７）。
【００６２】
一方、Ｓ３で画像処理の実行可能とされた場合には、画像取得手段で画像データを取得する（Ｓ４）。
【００６３】
画像データの取得のトリガーとしては、キーボード４００やマウス５００等の入力手段によりオペレータの画像データを取得する旨の指示の入力を受け付けたこと、あるいはコンピュータ１００において自動的に所定のタイミングと判断したことがトリガーとなる。
【００６４】
画像データは、フィルムスキャナ２００により画像データを取得する態様と、ＣＤ−ＲＯＭ等の記録媒体から画像データを取得する態様と、ネットワークを介して画像データを取得する態様の何れかの態様により取得される。
【００６５】
Ｓ４で取得した画像データを画像記憶手段により記憶する（Ｓ５）。
【００６６】
Ｓ４で取得された画像データは、主記憶部１０３に記憶される。
【００６７】
Ｓ３において実行可能と判断された処理種の画像処理は、画像処理手段により実行される（Ｓ６）。
【００６８】
このように、本発明の画像処理装置においては、処理種指示手段において指示された処理種について画像処理が実行可能か否かを装置外部に記録された処理可否情報に基づいて判断する。このとき処理可否情報が指示された処理種の画像処理に関してパラメータの設定を含むものである場合は、該パラメータに基づいて画像処理を行う。一方、予め処理種指示手段において処理種として画像処理に関するパラメータが設定されている場合は、該パラメータに基づいて画像処理を行う。従って、オペレータが画像処理に関するパラメータを設定できるときは、設定されたパラメータに基づいて画像処理を行うが、オペレータがパラメータを設定できないときは、装置外部に記録された処理可否情報に基づいて適切なパラメータでの画像処理を行うことができる。
【００６９】
尚、上記の態様では、メイン制御部１０１と画像処理取得部１０４、画像処理部１０５、処理指示処理部１０６、処理可否情報取得処理部１０７、処理可否判断処理部１０８とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【００７０】
本発明の画像処理装置は、画像処理プログラムを供給することによって達成される。この場合、該プログラムは、記録媒体に記録された態様に限らず、ネットワークを介してインストールすることによって供給することができる。
【００７１】
また、本発明の画像処理方法の画像取得工程は、上記画像処理装置の画像取得手段によって実現する。同様に、画像記憶工程は画像記憶手段、画像処理工程は画像処理手段、処理種指示工程は処理種指示手段、処理可否情報取得工程は処理可否情報取得手段、処理可否判断工程は処理可否判断手段によって実現する。
【図面の簡単な説明】
【００７２】
【図１】本発明の画像処理装置のハードウエアの概略構成の一例を示す図
【図２】画像処理装置に用いられるコンピュータの一例を示すブロック図
【図３】本発明の画像処理装置の機能構成を説明するための機能ブロック図
【図４】本発明の画像処理プログラムによって制御される画像処理装置の動作フロー例を示す図
【符号の説明】
【００７３】
１：画像処理装置
１０：画像取得手段
１１：画像記憶手段
１２：画像処理手段
１３：処理種指示手段
１４：処理可否情報取得手段
１５：処理可否判断手段
１００：コンピュータ
１０１：メイン制御部
１０２：画像入力部
１０３：主記憶部
１０４：画像取得処理部
１０５：画像処理部
１０６：処理種指示処理部
１０７：処理可否情報取得処理部
１０８：処理可否判断処理部
１０９：データ入出力部
１１０：表示制御部
１１１：外部通信部
２００：スキャナ
３００：モニタ
４００：キーボード
５００：マウス
６００：ＵＳＢポート
【図１】
2005202805.tif 000003
【図２】
2005202805.tif 000004
【図３】
2005202805.tif 000005
【図４】
2005202805.tif 000006